(57)【要約】【課題】ブラシ毛間に毛髪が挟まりにくく、しかも、小さな力でブラッシングができ、しかも、ブラシ毛が頭皮に到達するしやすいヘアブラシを提供する。【解決手段】柄部と、表面１ａに多数の凹部２が形成されこれら各凹部２にそれぞれブラシ毛３が固定されたブラシ台部１とを備えている。そして、上記各凹部２が平面視細長形状に形成され、上記各凹部２に、２つ折り状に折り曲げられた１本のブラシ毛３がその折り曲げ部３ｃを上記凹部２内に位置決め固定した状態で配設され、これら各ブラシ毛３の一対の折り曲げ片３ｂ同士が、上記各凹部２の長手方向に沿って所定の隙間をあけた状態で保持されそれぞれ上方に起立している。【選択図】図１０
2005319217.tif 000002
【特許請求の範囲】
【請求項１】
把持部と、上面に多数の凹部が形成されこれら各凹部にそれぞれブラシ毛が固定されたブラシ台部とを備え、上記各凹部が平面視細長形状に形成され、上記各凹部に、２つ折り状に折り曲げられた１本のブラシ毛がその折り曲げ部を上記凹部内に位置決め固定した状態で配設され、これら各ブラシ毛の一対の折り曲げ片同士が、上記各凹部の長手方向に沿って所定の隙間をあけた状態で保持されそれぞれ上方に起立していることを特徴とするヘアブラシ。
【請求項２】
上記凹部が小判形状である請求項１記載のヘアブラシ。
【請求項３】
上記一対の折り曲げ片の先端部分が球状に形成されている請求項１または２記載のヘアブラシ。
【請求項４】
上記一対の折り曲げ片の一方が他方より起立長さが大に設定されている請求項１〜３のいずれか一項に記載のヘアブラシ。
【請求項５】
上記各凹部の下部内に、上記各凹部の長手方向に対し直交する方向に、上記長手方向に所定の厚みを有する棒状もしくは板状の固定部材が架設され、これら各固定部材が、上記折り曲げられた１本のブラシ毛の折り曲げ部分間に配設されている請求項１〜４のいずれか一項に記載のヘアブラシ。
【発明の詳細な説明】
【技術分野】
【０００１】
本発明は、ヘアブラシに関するものである。
【背景技術】
【０００２】
一般に、ヘアブラシは、図１８に示すように、表面２１ａに多数の凹部２２（図１９参照）が形成されこれら各凹部２２にブラシ毛２３が植設されたブラシ台部２１と、このブラシ台部２１から一連に延びる柄部２４とからなっている。また、上記各凹部２２は、平面視円形に形成されており、上記各凹部２２に複数本のブラシ毛２３が２つ折り状に折り曲げられた状態で小片２５（図１９参照）とともに、上記各凹部２２に圧入，固定されている（例えば、特許文献１参照）。
【特許文献１】特開平１１−３３０７２号公報
【発明の開示】
【発明が解決しようとする課題】
【０００３】
しかしながら、上記のヘアブラシでは、つぎのような欠点がある。すなわち、上記各凹部２２にブラシ毛２３が密接した状態で固定されているため、ブラシ毛２３間に毛髪が挟まりやすく、挟まって傷付いた毛髪が枝毛になりすやい。しかも、上記各凹部２２にブラシ毛２３が密接していると、毛髪との摩擦が大きく、強い力でないとブラッシングができない。しかも、毛髪が通りにくいため、ブラシ毛２３が頭皮に到達しにくく、毛根，毛穴まできれいに清掃することができない。
【０００４】
本発明は、このような事情に鑑みなされたもので、ブラシ毛間に毛髪が挟まりにくく、しかも、小さな力でブラッシングができ、しかも、ブラシ毛が頭皮に到達しやすいヘアブラシの提供をその目的とする。
【課題を解決するための手段】
【０００５】
上記の目的を達成するため、本発明のヘアブラシは、把持部と、上面に多数の凹部が形成されこれら各凹部にそれぞれブラシ毛が固定されたブラシ台部とを備え、上記各凹部が平面視細長形状に形成され、上記各凹部に、２つ折り状に折り曲げられた１本のブラシ毛がその折り曲げ部を上記凹部内に位置決め固定した状態で配設され、これら各ブラシ毛の一対の折り曲げ片同士が、上記各凹部の長手方向に沿って所定の隙間をあけた状態で保持されそれぞれ上方に起立しているという構成をとる。
【発明の効果】
【０００６】
すなわち、本発明のヘアブラシは、ブラシ台部の上面に形成された各凹部が平面視細長形状に形成されており、これら各凹部に、２つ折り状に折り曲げられた１本のブラシ毛がその折り曲げ部を上記凹部内に位置決め固定した状態で配設されている。そして、上記各ブラシ毛の一対の折り曲げ片同士が、上記各凹部の長手方向に沿って所定の隙間をあけた状態で保持されそれぞれ上方に起立している。このように、本発明のヘアブラシでは、２つ折り状に折り曲げられた１本のブラシ毛が、上記各凹部にその長手方向に沿って所定の隙間をあけた状態で、保持されており、全く密接していないため、ブラシ毛間に毛髪が挟まって傷付いて、枝毛になることがない。しかも、毛髪とブラシ毛との摩擦が少なく、小さな力でもブラッシングができる。しかも、毛髪が通りやすいため、ブラシ毛が頭皮に到達しやすく、毛根，毛穴まできれいに清掃することができる。
【０００７】
また、凹部が小判形状であると、平面視細長形状の凹部が容易に得られる。
【０００８】
また、上記一対の折り曲げ片の先端部分が球状に形成されていると、上記球状の先端部分が頭皮に柔らかく当接し、マッサージ効果に優れる。
【０００９】
また、上記一対の折り曲げ片の一方が他方より起立長さが大に設定されていると、上記一対の折り曲げ片の一方が少し湾曲しながら頭皮に当接するため、上記球状の先端部分が頭皮にさらに柔らかく当接し、一層マッサージ効果に優れる。
【００１０】
また、上記各凹部の下部内に、上記各凹部の長手方向に対し直交する方向に、上記長手方向に所定の厚みを有する棒状もしくは板状の固定部材が架設され、これら各固定部材が、上記折り曲げられた１本のブラシ毛の折り曲げ部分間に配設されていると、上記各固定部材の長手方向の厚みを変化させることで、上記一対の折り曲げ片間の隙間を調節することができる。
【発明を実施するための最良の形態】
【００１１】
つぎに、本発明の実施の形態を図面にもとづいて詳しく説明する。
【００１２】
図１および図２は本発明のヘアブラシの一実施の形態を示している。これらの図において、１は表面（上面）１ａに多数の凹部２（図３および図４参照）が形成されこれら各凹部２にブラシ毛３が植設された合成樹脂製のブラシ台部（このブラシ台部１は、この実施の形態では、前後方向に長い略長方形状に形成されている）である。上記ブラシ毛３は、両端に球状部３ａが形成された１本のブラシ毛３（図８参照）を２つ折り状に折り曲げたものからなり、この折り曲げにより形成された一対の折り曲げ片３ｂの一方が他方より長く形成されている（図９および図１０参照）。この実施の形態では、長い方の折り曲げ片３ｂが短い方の折り曲げ片３ｂの後側に位置決めされた状態で、上記各凹部２に固定されている。また、これら両折り曲げ片３ｂの間には前後方向に所定の隙間が設けられている。４は上記ブラシ台部１の後側部から一連に延びる合成樹脂製の柄部（把持部）である。このようなブラシ台部１（上記各凹部２にブラシ毛３が植設されていないもの）と柄部４とは、金型成形により一体成形されている。
【００１３】
上記ブラシ台部１は、その表面１ａが、左右方向中央部から左右両側面に向かってなだらかに湾曲しながら下る湾曲面（この湾曲面は、左右両側が略同じ形状に湾曲している）に形成されており、この表面１ａに、図３および図４に示すように、２２〜２４個の凹部２が前後方向に等間隔で一列に並ぶ凹部列群が、左右に等間隔で並列状に６〜９列（この実施の形態では、右側４列，左側４列の８列）形成されている。また、上記各凹部２の左右両側面は、上記ブラシ台部１の表面１ａに対して略直交する方向に（すなわち、やや内向きに）傾斜する状態で形成されている。
【００１４】
このような各凹部２は、図５〜図７に示すように、平行な左右両側面を有する中央部分１１と、この中央部分１１の前後両側に平面視半円弧状に形成された前後両側部分１２，１３（前側部分１２，後側部分１３）とを備えた平面視小判形状（平面視細長形状）に形成されており、上記各凹部２の長手方向が、上記ブラシ台部１の長手方向に沿うようにして配設されている。また、上記中央部分１１の底部１１ａは、左右方向に沿って断面形状半円弧状に形成されており（図６参照）、上記前後両側部分１２，１３の底部１２ａ，１３ａは、湾曲面状（略１／４球面状）に形成されている（図７参照）。
【００１５】
上記の構成において、まず、両端に球状部３ａが形成された多数のブラシ毛３（図８参照。この図では、１本のブラシ毛３しか図示せず）と、所定の前後幅を有する四角形棒状体からなる多数のアルミニウム製の固定片５（図９および図１０参照）とを準備する。ついで、２つ折り状に折り曲げられた１本のブラシ毛３（この折り曲げられたブラシ毛３の両折り曲げ片３ｂは、一方が他方より長くなるように折り曲げられており、長い方が後側になるようにしている）を、その折り曲げ部３ｃ間に１個の固定片５を配設した状態で、上記凹部２内に圧入して固定する（図９および図１０参照）。この圧入，固定を１個の凹部２ごとに、もしくは複数個の凹部２同時に行い、全ての凹部２に、折り曲げられた１本のブラシ毛３を植設することを行う。この状態では、折り曲げられた１本のブラシ毛３の折り曲げ部３ｃが上記各凹部２の底部１１ａ，１２ａ，１３ａに位置決めされた状態で、上記凹部２の中央部分１１の左右両側面にかしめ状に（もしくは圧接状に）固定された固定片５により、抜け止め状に固定されている。そして、折り曲げられた１本のブラシ毛３の両折り曲げ片３ｂは、上記各凹部２から上方に向かって起立しており、両折り曲げ片３ｂ同士間に、前後方向に所定の隙間が設けられている（図１０参照）。
【００１６】
上記のように、この実施の形態では、２つ折り状に折り曲げられた１本のブラシ毛３の両折り曲げ片３ｂが、上記各凹部３に、前後に所定の隙間をあけた状態で保持されているため、上記両折り曲げ片３ｂ間に毛髪が挟まり傷付いて、枝毛になることがない。しかも、毛髪と各ブラシ毛３との摩擦が少なく、小さな力でもブラッシングができる。しかも、毛髪が通りやすいため、ブラシ毛３が頭皮に到達しやすく、毛根，毛穴まできれいに清掃することができる。しかも、上記両折り曲げ片３ｂの先端部分が球状部３ａに形成されているため、これら両球状部３ａが頭皮に柔らかく当接し、マッサージ効果に優れる。しかも、上記両折り曲げ片３ｂの一方が他方より長く形成されているため、長い方の折り曲げ片３ｂが少し湾曲しながら頭皮に当接するため、上記両球状部３ａが頭皮にさらに柔らかく当接し、一層マッサージ効果に優れる。しかも、固定片５の前後幅を変化させることにより、上記両折り曲げ片３ｂ間の隙間を調節することができる。
【００１７】
図１２および図１３は上記凹部２の変形例を示している。この例では、上記凹部２の底部１１ａ，１２ａ，１３ａに、前後方向に延びる溝部１５と、この溝部１５の上面開口部の左右両側面から外側に向かって上向きに傾斜するテーパー部１６とが形成されており、ブラシ毛３の折り曲げ部３ｃが上記テーパー部１６に配設されているとともに、上記折り曲げ部３の下端部が溝部１５内に食い込んでいる（図１４参照）。それ以外の部分は、上記実施の形態に用いる凹部２と同様であり、同様の部分には同じ符号を付している。この例の凹部２を用いた場合にも、上記実施の形態と同様の作用・効果を奏する。
【００１８】
図１５〜図１７は上記凹部２の他の変形例を示している。この例では、図１２および図１３に示す凹部２において、上記凹部２の上面に、円形凹部１８（上側円柱状部分１８ａと、この上側円柱状部分１８ａの下端開口部の左右両側面から内側に向かって下向きに傾斜する下側テーパー部１８ｂとからなる）が形成されている。それ以外の部分は、図１２および図１３に示す凹部２と同様であり、同様の部分には同じ符号を付している。この例の凹部２を用いた場合にも、上記実施の形態と同様の作用・効果を奏する。しかも、この例では、上記凹部２の上端面に円形凹部１８が形成されているため、従来から使用されている、平面視円形の凹部が形成されたヘアブラシ用の金型の上記凹部を修正することにより、本発明のヘアブラシ用の金型として使用することができる。
【００１９】
なお、上記実施の形態では、長い方の折り曲げ片３ｂが短い方の折り曲げ片３ｂの後側に位置決めされているが、これに限定されるものではなく、長い方の折り曲げ片３ｂが短い方の折り曲げ片３ｂの前側に位置決めされていてもよいし、各ブラシ毛３において、両折り曲げ片３ｂの前後の並びは一定でなくてもよい。また、これら両折り曲げ片３ｂの長さが同じであってもよい。また、ブラシ毛３の一端にだけ球状部３ａが形成されていてもよいし、両端に球状部３ａが形成されていなくてもよい。
【００２０】
また、上記実施の形態では、固定片５が棒状体で構成されているが、平板状体で構成されていてもよい。また、上記凹部２の形状は、平面視小判形状に形成されていなくてもよく、平面視細長形状であれば、どのような形状でもよい。
【図面の簡単な説明】
【００２１】
【図１】本発明のヘアブラシの一実施の形態を示す斜視図である。
【図２】上記ヘアブラシの側面図である。
【図３】ブラシ台部を示す平面図である。
【図４】上記ブラシ台部の要部を示す断面図である。
【図５】凹部の平面図である。
【図６】上記凹部の断面図である。
【図７】上記凹部の要部の断面図である。
【図８】ブラシ毛の説明図である。
【図９】上記凹部にブラシ毛を植設した状態を示す断面図である。
【図１０】上記凹部にブラシ毛を植設した状態を示す断面図である。
【図１１】上記ヘアブラシの要部の側面図である。
【図１２】上記凹部の変形例を示す平面図である。
【図１３】上記凹部の断面図である。
【図１４】上記凹部にブラシ毛を植設した状態を示す断面図である。
【図１５】上記凹部の他の変形例を示す平面図である。
【図１６】上記凹部の断面図である。
【図１７】上記凹部の要部の断面図である。
【図１８】従来例を示す平面図である。
【図１９】凹部にブラシ毛を圧入している状態を示す説明図である。
【符号の説明】
【００２２】
１  ブラシ台部
１ａ  表面
２  凹部
３  ブラシ毛
３ｂ  折り曲げ片
３ｃ  折り曲げ部
【図１】
2005319217.tif 000003
【図２】
2005319217.tif 000004
【図３】
2005319217.tif 000005
【図４】
2005319217.tif 000006
【図５】
2005319217.tif 000007
【図６】
2005319217.tif 000008
【図７】
2005319217.tif 000009
【図８】
2005319217.tif 000010
【図９】
2005319217.tif 000011
【図１０】
2005319217.tif 000012
【図１１】
2005319217.tif 000013
【図１２】
2005319217.tif 000014
【図１３】
2005319217.tif 000015
【図１４】
2005319217.tif 000016
【図１５】
2005319217.tif 000017
【図１６】
2005319217.tif 000018
【図１７】
2005319217.tif 000019
【図１８】
2005319217.tif 000020
【図１９】
2005319217.tif 000021